(57)【要約】【課題】杭本体１の地盤３０への打ち込みが容易で、かつ抜けにくく、しかも構造が簡単で、杭本体１の強度を高く維持できる標示杭Ｋを提供する【解決手段】地盤３０に打ち込まれる標示杭Ｋであって、棒状の杭本体１の外周面に、杭本体１を地盤３０から抜き出す際に地盤３０に引っ掛かって抜けを防止する抜け止め部材２０が取り付けられている。抜け止め部材２０は、舌片２１と取付部２２を備えている。舌片２１は、杭本体１の頭部１ｂに向かって外方に傾斜して地盤３０に引っ掛かる傾斜部２１ａ、およびこの傾斜部２１ａよりも先端側に位置し杭本体１の先端に向かって先細りしている先細り部２１ｂを有し、取付部２２は、前記舌片２１の傾斜部２１ａよりも小さい幅を有し、舌片２１を杭本体１に取り付ける。【選択図】  図１
2005049263.tif 000002
【特許請求の範囲】
【請求項１】
地盤に打ち込まれる標示杭であって、
棒状の杭本体の外周面に、杭本体を地盤から抜き出す際に地盤に引っ掛かって抜けを防止する抜け止め部材が取り付けられており、
前記抜け止め部材が、
杭本体の頭部に向かって外方に傾斜して地盤に引っ掛かる傾斜部、およびこの傾斜部よりも先端側に位置し杭本体の先端に向かって先細りしている先細り部を有する舌片と、
前記舌片の傾斜部よりも小さい幅を有し、舌片を杭本体に取り付ける取付部と、
を備えている標示杭。
【請求項２】
請求項１において、前記抜け止め部材が、杭本体の長手方向に延びる複数のフィンの間の溝部に取り付けられている標示杭。
【発明の詳細な説明】
【技術分野】
【０００１】
本発明は、土地の境界表示や測量用標識、地下埋設物の表示などに用いられる標示杭に関するものである。
【背景技術】
【０００２】
一般に、標示杭は、棒状の杭本体の先端部を先鋭に形成するとともに頭部に番号や表示などを付している。この標示杭は、直接地盤に打ち込まれて使用されるが、軟弱な地盤などに打ち込んだとき、いたずらで地盤から簡単に引き抜かれる場合がある。
【０００３】
これまでに本件出願人は、抜け防止用の抜け止め部材を有し、かつ、本体の強度を高く維持し、地盤への打ち込み作業が容易な標示杭を提案した（特許文献１参照）。この標示杭は、回動可能な抜け止め部材をボルトおよびナットで杭本体に取り付けているため、構造が複雑になるうえに、杭本体にボルト挿通孔を設ける必要があるので、杭本体の強度が低くなる傾向にある。
【特許文献１】実開平０７−０４２４８６号公報
【発明の開示】
【発明が解決しようとする課題】
【０００４】
そこで本発明の目的は、杭本体の地盤への打ち込みが容易で、かつ抜けにくく、しかも構造が簡単で、杭本体の強度を高く維持できる標示杭を提供することにある。
【課題を解決するための手段】
【０００５】
上記目的を達成するため、本発明に係る標示杭は、地盤に打ち込まれる標示杭であって、棒状の杭本体の外周面に、杭本体を地盤から抜き出す際に地盤に引っ掛かって抜けを防止する抜け止め部材が取り付けられており、前記抜け止め部材が、杭本体の頭部に向かって外方に傾斜して地盤に引っ掛かる傾斜部、およびこの傾斜部よりも先端側に位置し杭本体の先端に向かって先細りしている先細り部を有する舌片と、前記舌片の傾斜部よりも小さい幅を有し、舌片を杭本体に取り付ける取付部とを備えている。
【０００６】
上記構成によれば、抜け止め部材は、その傾斜部が、杭本体の頭部に向かって外方に傾斜しているため、地盤から引き抜く際に、舌片が杭本体の外方に向かって反り返ることにより引き抜きが防止される。一方、先細り部は、杭本体の先端に向かって先細りしており、取付部は傾斜部よりも幅狭であるため、先端方向への移動に対する地盤の抵抗が小さく、打ち込み作業が容易である。また、前記抜け止め部材は、舌片および取付部からなり、構造が簡単である。しかも、抜け止め部材の取り付けにあたって、杭本体にボルト挿通孔を設ける必要がないので、杭本体の強度を高く維持できる。
【０００７】
また、本発明の好ましい実施形態では、前記抜け止め部材が、杭本体の長手方向に延びる複数のフィンの間の溝部に取り付けられている。この構成によれば、抜け止め部材が標示杭から側方にはみ出すのを抑制できるので、標示杭の保管や取り扱いの際に抜け止め部材が周囲の物と干渉するのを避けることができる。
【発明の効果】
【０００８】
本発明の標示杭によれば、杭本体の地盤への打ち込みが容易で、かつ抜けにくく、しかも構造が簡単で、杭本体の強度を高く維持できる。
【発明を実施するための最良の形態】
【０００９】
以下、本発明の一実施形態を図面に基づいて説明する。
【００１０】
図１に示す標示杭Ｋは、細長い角棒状の杭本体１と、これに取り付けられるキャップ２と抜け止め部材２０とを有している。杭本体１は、長手方向に延びる４つのフィン１１とその間に形成される４つの溝部１２により断面が星形状に形成された主部１ａと、四角柱状とされた頭部１ｂと、先鋭に形成された先端部１ｃとを有している。フィン１１および溝部１２の本数および断面形状は、これに限らず、適宜設定される。頭部１ｂには、番号やシンボルマークのような表示が付された前記キャップ２を取り付けている。標示杭Ｋには、必要に応じて、位置や地下埋設物に関する情報を記憶した記憶素子を内蔵してもよい。
【００１１】
前記杭本体１は、主に、樹脂成形時に生じる樹脂かすや樹脂製品の廃物などを原料とするリサイクル樹脂で形成されている。また、前記キャップ２は、用途などに応じて異なる着色が施される。杭本体１の溝部１２に、前記抜け止め部材２０が取り付けられている。
【００１２】
図２に示すように、抜け止め部材２０は、１枚の舌片２１および取付部２２からなり、合成樹脂により一体形成されている。舌片２１は、頭部２１ｂ（後方）に向かって外方、つまり標示杭Ｋの外側方向に傾斜する傾斜部２１ａと、この傾斜部よりも先端側に位置し、杭本体の先端（前方）に向かって先細りしている先細り部２１ｂと、これら両者２１ａ，２１ｂを連結する中間部２１ｃとを有する。図３に示すように、舌片２１は偏平な形状で、標示杭Ｋの長手方向と直交する方向の幅Ｗ１が比較的大きい。取付部２２は、図４に示すように、標示杭Ｋの放射方向に沿って延びる立壁状で、その幅Ｗ２が傾斜部２１ａの幅Ｗ１よりも小さく、この例ではＷ２≒１／５Ｗ１になっている。抜け止め部材２０の高さＨは、抜け止め部材２０が標示杭Ｋ全体の外形線から外側方へはみ出さない大きさに設定されている。つまり、図１の標示杭Ｋの最大横断面形状は、杭本体１の主部１ａにおける頭部１ｂの直下に位置する横断面矩形の基部１３によって形成されているので、この基部１３の外表面を長手方向に延長した仮想外形線Ｓを設定したとき、この仮想外形線Ｓよりも内側に抜け止め部材２０の全体が入るようにしている。また、取付部２２は、例えば振動による摩擦熱を利用した摩擦溶着により杭本体１に取り付けられる。このとき、舌片２１の先細り部２１ｂが杭本体１の先端部１ｃへ向くように取り付けられる。
【００１３】
次に、本発明に係る標示杭の作用について説明する。
【００１４】
図５に示すように、まず、抜け止め部材２０が取り付けられた標示杭Ｋが地盤３０に打ち込まれる。このとき、溝部１２に取り付けられた抜け止め部材２０は、舌片２１の先細り部２１ｂが地盤３０に向いているため、抵抗が小さいので打ち込み作業は容易である。また、抜け止め部材２０を溝部１２に取り付けているから、抜け止め部材２０が標示杭Ｋから側方にはみ出すのを抑制できるので、標示杭Ｋの保管や取り扱いの際に抜け止め部材２０が周囲の物と干渉するのを避けることができる。
【００１５】
次に、引き抜く際には、図６に示すように、前記抜け止め部材２０における舌片２１の傾斜部２１ａが、地盤３０に引っ掛かって、前記舌片２１が杭本体１の外方へさらに進出するように曲がることにより、杭本体１の地盤３０からの引き抜きが防止される。
【００１６】
前記実施形態では、図１に示したように、抜け止め部材２０は１つしか設けていないが、抜け止め部材２０を他の溝部１２にも取り付けることにより、２つ以上設けてもよい。
【００１７】
さらに、杭本体１と抜け止め部材２０は別部材であるから、地盤３０が、前記杭本体１を引き抜き難い、硬いものである場合、または、特に引き抜き防止が要請されない場合には、抜け止め部材２０を取り付けずに杭本体１を地盤３０に打ち込んで使用することで対応できる。
【図面の簡単な説明】
【００１８】
【図１】本発明の一実施形態に係る標示杭を示す斜視図である。
【図２】同標示杭に取り付けられる抜け止め部材を示す斜視図である。
【図３】同標示杭に取り付けられる抜け止め部材の平面図である。
【図４】図１のIＶ−IＶ線に沿った断面図である。
【図５】同標示杭の地盤に打ち込んだ状態を示す縦断面図である。
【図６】抜け止め部材の作用を示す側面図である。
【符号の説明】
【００１９】
１  杭本体
１ａ  頭部
２０  抜け止め部材
２１  舌片
２１ａ  傾斜部
２１ｂ  先細り部
２２  取付部
３０  地盤
Ｋ  標示杭
【図１】
2005049263.tif 000003
【図２】
2005049263.tif 000004
【図３】
2005049263.tif 000005
【図４】
2005049263.tif 000006
【図５】
2005049263.tif 000007
【図６】
2005049263.tif 000008